(57)【要約】【課題】通信端末装置が特定の情報提供装置から取得した情報量に応じて、通信端末装置が強制的に所定の広告情報を取得する情報取得システムを提供する。【解決手段】特定領域に入退場するための入退場処理を行う非接触ＩＣカードを搭載した通信端末装置（１１）と、通信端末装置（１１）に情報を提供する情報提供装置（１４）と、を有し、通信端末装置（１１）は、非接触ＩＣカードを用いて特定領域への入場が行われたと判断した際に、情報提供装置（１４）と接続し、情報提供装置（１４）から情報（１４２１〜１４２５）を取得する。そして、通信端末装置（１１）は、情報提供装置（１４）から取得した情報（１４２１〜１４２５）量に応じて、情報提供装置（１４）から所定の広告情報（１４３１）を取得する。【選択図】図１
2007310465.tif 000002
【特許請求の範囲】
【請求項１】
特定領域に入退場するための入退場処理を行う非接触ＩＣカードを搭載した通信端末装置であって、
前記非接触ＩＣカードを用いて特定領域への入場が行われたと判断した際に、所定の情報提供装置と接続し、前記情報提供装置から情報を取得する情報取得手段と、
前記情報取得手段により取得した情報量に応じて、前記情報提供装置から所定の広告情報を取得する広告情報取得手段と、
を有することを特徴とする通信端末装置。
【請求項２】
前記情報提供装置と接続するための接続情報を格納する接続情報格納手段を有し、
前記情報取得手段は、
前記非接触ＩＣカードを用いて特定領域への入場が行われたと判断した際に、前記接続情報格納手段に格納されている接続情報を読み出し、該読み出した接続情報を基に、前記情報提供装置と接続することを特徴とする請求項１記載の通信端末装置。
【請求項３】
前記情報提供装置から取得する情報を選択する情報選択手段を有し、
前記情報取得手段は、
前記情報選択手段により選択された情報を、前記情報提供装置から取得することを特徴とする請求項１記載の通信端末装置。
【請求項４】
前記広告情報取得手段は、
前記非接触ＩＣカードを用いて特定領域への入場が行われたと判断した際、または、前記非接触ＩＣカードを用いて特定領域からの退場が行われたと判断した際に、前記情報提供装置から所定の広告情報を取得することを特徴とする請求項１記載の通信端末装置。
【請求項５】
前記通信端末装置は、
第１の筐体と、第２の筐体と、ヒンジと、を有し、前記ヒンジを介して、前記第１の筐体と、前記第２の筐体と、が開閉可能な構造からなる通信端末装置であり、
前記第１の筐体と、前記第２の筐体と、の開閉状態を検出する開閉検出手段を有し、
前記非接触ＩＣカードを用いて特定領域への入場が行われたと判断してから、前記非接触ＩＣカードを用いて特定領域からの退場が行われたと判断するまでの間に、前記開閉検出手段により開状態を検出した場合には、
前記情報取得手段と、前記広告情報取得手段と、を実行するためのアプリケーションソフトプログラムを起動させることを特徴とする請求項１記載の通信端末装置。
【請求項６】
前記非接触ＩＣカードと、前記特定領域への入場または前記特定領域からの退場の可否を決定する入退場許可装置と、の間で入退場処理を行い、
前記通信端末装置は、
前記特定区域への入場が行われた旨の情報を、前記非接触ＩＣカードから通知された際に、前記非接触ＩＣカードを用いて特定領域への入場が行われたと判断し、
前記特定区域からの退場が行われた旨の情報を、前記非接触ＩＣカードから通知された際に、前記非接触ＩＣカードを用いて特定領域からの退場が行われたと判断することを特徴とする請求項５記載の通信端末装置。
【請求項７】
前記情報量は、前記情報提供装置から取得した情報のパケット量、または、前記情報提供装置から取得した情報を前記通信端末装置の表示部に表示した表示画面数であることを特徴とする請求項１記載の通信端末装置。
【請求項８】
特定領域に入退場するための入退場処理を行う非接触ＩＣカードを搭載した通信端末装置と、前記通信端末装置に情報を提供する情報提供装置と、を有して構成される情報取得システムであって、
前記通信端末装置は、
前記非接触ＩＣカードを用いて特定領域への入場が行われたと判断した際に、前記情報提供装置と接続し、前記情報提供装置から情報を取得する情報取得手段と、
前記情報取得手段により取得した情報量に応じて、前記情報提供装置から所定の広告情報を取得する広告情報取得手段と、
を有することを特徴とする情報取得システム。
【請求項９】
前記通信端末装置は、
前記情報提供装置と接続するための接続情報を格納する接続情報格納手段を有し、
前記通信端末装置は、
前記非接触ＩＣカードを用いて特定領域への入場が行われたと判断した際に、前記接続情報格納手段に格納されている接続情報を読み出し、該読み出した接続情報を基に、前記情報提供装置と接続することを特徴とする請求項８記載の情報取得システム。
【請求項１０】
前記通信端末装置は、
前記情報提供装置から取得する情報を選択する情報選択手段を有し、
前記情報選択手段により選択された情報を、前記情報提供装置から取得することを特徴とする請求項８記載の情報取得システム。
【請求項１１】
前記通信端末装置は、
前記非接触ＩＣカードを用いて特定領域への入場が行われたと判断した際、または、前記非接触ＩＣカードを用いて特定領域からの退場が行われたと判断した際に、前記情報提供装置から所定の広告情報を取得することを特徴とする請求項８記載の情報取得システム。
【請求項１２】
前記情報量は、前記情報提供装置から取得した情報のパケット量、または、前記情報提供装置から取得した情報を前記通信端末装置の表示部に表示した表示画面数であることを特徴とする請求項８記載の情報取得システム。
【請求項１３】
特定領域に入退場するための入退場処理を行う非接触ＩＣカードを搭載した通信端末装置が、所定の情報提供装置から情報を取得する情報取得方法であって、
前記非接触ＩＣカードを用いて特定領域への入場が行われたと判断した際に、所定の情報提供装置と接続し、前記情報提供装置から情報を取得する情報取得工程と、
前記情報取得工程により取得した情報量に応じて、前記情報提供装置から所定の広告情報を取得する広告情報取得工程と、
を、前記通信端末装置が行うことを特徴とする情報取得方法。
【請求項１４】
前記通信端末装置は、
前記情報提供装置と接続するための接続情報を格納する接続情報格納手段を有し、
前記通信端末装置は、
前記非接触ＩＣカードを用いて特定領域への入場が行われたと判断した際に、前記接続情報格納手段に格納されている接続情報を読み出し、該読み出した接続情報を基に、前記情報提供装置と接続することを特徴とする請求項１３記載の情報取得方法。
【請求項１５】
前記情報提供装置から取得する情報を選択する情報選択工程を、前記通信端末装置が行い、
前記通信端末装置は、
前記情報選択工程により選択された情報を、前記情報提供装置から取得することを特徴とする請求項１３記載の情報取得方法。
【請求項１６】
前記通信端末装置は、
前記非接触ＩＣカードを用いて特定領域への入場が行われたと判断した際、または、前記非接触ＩＣカードを用いて特定領域からの退場が行われたと判断した際に、前記情報提供装置から所定の広告情報を取得することを特徴とする請求項１３記載の情報取得方法。
【請求項１７】
前記通信端末装置は、
第１の筐体と、第２の筐体と、ヒンジと、を有し、前記ヒンジを介して、前記第１の筐体と、前記第２の筐体と、が開閉可能な構造からなる通信端末装置であり、
前記第１の筐体と、前記第２の筐体と、の開閉状態を検出する開閉検出手段を有し、
前記通信端末装置は、
前記非接触ＩＣカードを用いて特定領域への入場が行われたと判断してから、前記非接触ＩＣカードを用いて特定領域からの退場が行われたと判断するまでの間に、前記開閉検出手段により開状態を検出した場合には、
前記情報取得工程と、前記広告情報取得工程と、を行うためのアプリケーションソフトプログラムを起動させることを特徴とする請求項１３記載の情報取得方法。
【請求項１８】
前記非接触ＩＣカードと、前記特定領域への入場または前記特定領域からの退場の可否を決定する入退場許可装置と、の間で入退場処理を行い、
前記通信端末装置は、
前記特定区域への入場が行われた旨の情報を、前記非接触ＩＣカードから通知された際に、前記非接触ＩＣカードを用いて特定領域への入場が行われたと判断し、
前記特定区域からの退場が行われた旨の情報を、前記非接触ＩＣカードから通知された際に、前記非接触ＩＣカードを用いて特定領域からの退場が行われたと判断することを特徴とする請求項１７記載の情報取得方法。
【請求項１９】
前記情報量は、前記情報提供装置から取得した情報のパケット量、または、前記情報提供装置から取得した情報を前記通信端末装置の表示部に表示した表示画面数であることを特徴とする請求項１３記載の情報取得方法。
【請求項２０】
特定領域に入退場するための入退場処理を行う非接触ＩＣカードを搭載した通信端末装置において実行させる情報取得プログラムであって、
前記非接触ＩＣカードを用いて特定領域への入場が行われたと判断した際に、所定の情報提供装置と接続し、前記情報提供装置から情報を取得する情報取得処理と、
前記情報取得処理により取得した情報量に応じて、前記情報提供装置から所定の広告情報を取得する広告情報取得処理と、
を、前記通信端末装置に実行させることを特徴とする情報取得プログラム。
【請求項２１】
前記通信端末装置は、
前記情報提供装置と接続するための接続情報を格納する接続情報格納手段を有し、
前記情報取得処理は、
前記非接触ＩＣカードを用いて特定領域への入場が行われたと判断した際に、前記接続情報格納手段に格納されている接続情報を読み出し、該読み出した接続情報を基に、前記情報提供装置と接続することを特徴とする請求項２０記載の情報取得プログラム。
【請求項２２】
前記情報提供装置から取得する情報を選択する情報選択処理を、前記通信端末装置に実行させ、
前記情報取得処理は、
前記情報選択処理により選択された情報を、前記情報提供装置から取得することを特徴とする請求項２０記載の情報取得プログラム。
【請求項２３】
前記広告情報取得処理は、
前記非接触ＩＣカードを用いて特定領域への入場が行われたと判断した際、または、前記非接触ＩＣカードを用いて特定領域からの退場が行われたと判断した際に、前記情報提供装置から所定の広告情報を取得することを特徴とする請求項２０記載の情報取得プログラム。
【請求項２４】
前記通信端末装置は、
第１の筐体と、第２の筐体と、ヒンジと、を有し、前記ヒンジを介して、前記第１の筐体と、前記第２の筐体と、が開閉可能な構造からなる通信端末装置であり、
前記第１の筐体と、前記第２の筐体と、の開閉状態を検出する開閉検出手段を有し、
前記通信端末装置は、
前記非接触ＩＣカードを用いて特定領域への入場が行われたと判断してから、前記非接触ＩＣカードを用いて特定領域からの退場が行われたと判断するまでの間に、前記開閉検出手段により開状態を検出した場合には、
前記情報取得処理と、前記広告情報取得処理と、を実行させるためのアプリケーションソフトプログラムを起動させることを特徴とする請求項２０記載の情報取得プログラム。
【請求項２５】
前記非接触ＩＣカードと、前記特定領域への入場または前記特定領域からの退場の可否を決定する入退場許可装置と、の間で入退場処理を行い、
前記通信端末装置は、
前記特定区域への入場が行われた旨の情報を、前記非接触ＩＣカードから通知された際に、前記非接触ＩＣカードを用いて特定領域への入場が行われたと判断し、
前記特定区域からの退場が行われた旨の情報を、前記非接触ＩＣカードから通知された際に、前記非接触ＩＣカードを用いて特定領域からの退場が行われたと判断することを特徴とする請求項２４記載の情報取得プログラム。
【請求項２６】
前記情報量は、前記情報提供装置から取得した情報のパケット量、または、前記情報提供装置から取得した情報を前記通信端末装置の表示部に表示した表示画面数であることを特徴とする請求項２０記載の情報取得プログラム。
【発明の詳細な説明】
【技術分野】
【０００１】
本発明は、情報を提供する情報提供装置から情報を取得することが可能な通信端末装置、情報取得システム、情報取得方法及び情報取得プログラムに関し、特に、非接触ＩＣカードを搭載した通信端末装置を利用して特定の領域に入場した場合にのみ、特定の情報提供装置から情報を取得することが可能な通信端末装置、情報取得システム、情報取得方法及び情報取得プログラムに関するものである。
【背景技術】
【０００２】
近年、殆どの人が携帯電話機等の通信端末装置を所有しており、その通信端末装置を使用してアプリケーションプログラムを起動させ、所望の情報を表示したり、ネットワークを介して外部のサーバ装置から所望の情報を取得したりしている。
【０００３】
また、近年では、非接触ＩＣカードが搭載された通信端末装置があり、その通信端末装置に搭載された非接触ＩＣカードを利用して様々なサービスが行われており、例えば、本発明より先に出願された技術文献として、ＩＣチップ４を搭載した携帯電話機３を所持したユーザ２が自動改札機５を通過すると、ユーザ２はＩＣチップ４に書込まれた情報に基づいて自動改札機５を入退場することができ、ＩＣチップ４は、自動改札機５の入退場情報の書込タイミングを利用して、ユーザの状況等に応じて携帯電話機３のアプリケーションを起動させ、携帯電話機３のアプリケーションからＩＰネットワーク網６及びインターネット網７に接続された複数のコンテンツから駅構内情報、発車時刻、駅周辺の情報等を携帯電話機３へ配信し、ユーザが携帯電話機３のみを所持して自動改札機５を入退場すると情報を表示することを可能とする情報提供システムが開示された文献がある（例えば、特許文献１参照）。
【０００４】
また、本発明と類似する技術文献として、折り畳み可能に構成される携帯端末装置であって、携帯端末装置が折り畳まれたときの内側および外側に位置するようにそれぞれ配置される第１および第２表示手段を備え、メールの着信時、折り畳まれたとき外側に位置する第２表示手段にタイトルを含め未続メールを表示し、折り畳まれたときの内側および外側に位置して設けられたスクロールキーの操作、あるいは折り畳み携帯端末装置を開くことにより、第１表示手段又は第２表示手段に継続してメールの詳細を表示し、着信メールの詳細を容易に確認できるようにした携帯端末装置が開示された文献がある（例えば、特許文献２参照）。
【特許文献１】特開２００５−２４２６８６号公報
【特許文献２】特開２００４−４０２９０号公報
【発明の開示】
【発明が解決しようとする課題】
【０００５】
しかしながら、上記特許文献１には、携帯電話機３に搭載されたＩＣチップ４が、自動改札機５の入退場情報の書込タイミングを利用して、携帯電話機３のアプリケーションを起動させ、コンテンツ情報を携帯電話機３に配信することについて開示されているが、携帯電話機３が取得したコンテンツ情報の情報量に応じて、携帯電話機３が強制的に所定の広告情報を取得することについては考慮されたものではない。
【０００６】
また、上記特許文献２は、折り畳まれたときの内側および外側に位置して設けられたスクロールキーの操作、あるいは折り畳み端末携帯端末装置を開くことにより、第１表示手段又は第２表示手段に継続してメールの詳細を表示し、着信メールの詳細を容易に確認できる点については開示されているが、携帯端末装置が取得した情報量に応じて、携帯端末装置が強制的に所定の広告情報を取得することについては考慮されたものではない。
【０００７】
本発明は、上記事情に鑑みてなされたものであり、通信端末装置が特定の情報提供装置から取得した情報量に応じて、通信端末装置が強制的に所定の広告情報を取得する通信端末装置、情報取得システム、情報取得方法及び情報取得プログラムを提供することを目的とするものである。
【課題を解決するための手段】
【０００８】
かかる目的を達成するために、本発明は以下の特徴を有することとする。
【０００９】
本発明にかかる通信端末装置は、特定領域に入退場するための入退場処理を行う非接触ＩＣカードを搭載した通信端末装置であって、非接触ＩＣカードを用いて特定領域への入場が行われたと判断した際に、所定の情報提供装置と接続し、情報提供装置から情報を取得する情報取得手段と、情報取得手段により取得した情報量に応じて、情報提供装置から所定の広告情報を取得する広告情報取得手段と、を有することを特徴とするものである。
【００１０】
また、本発明にかかる通信端末装置は、情報提供装置と接続するための接続情報を格納する接続情報格納手段を有し、情報取得手段は、非接触ＩＣカードを用いて特定領域への入場が行われたと判断した際に、接続情報格納手段に格納されている接続情報を読み出し、該読み出した接続情報を基に、情報提供装置と接続することを特徴とするものである。
【００１１】
また、本発明にかかる通信端末装置は、情報提供装置から取得する情報を選択する情報選択手段を有し、情報取得手段は、情報選択手段により選択された情報を、情報提供装置から取得することを特徴とするものである。
【００１２】
また、本発明にかかる通信端末装置において、広告情報取得手段は、非接触ＩＣカードを用いて特定領域への入場が行われたと判断した際、または、非接触ＩＣカードを用いて特定領域からの退場が行われたと判断した際に、情報提供装置から所定の広告情報を取得することを特徴とするものである。
【００１３】
また、本発明にかかる通信端末装置は、第１の筐体と、第２の筐体と、ヒンジと、を有し、ヒンジを介して、第１の筐体と、第２の筐体と、が開閉可能な構造からなる通信端末装置であり、第１の筐体と、第２の筐体と、の開閉状態を検出する開閉検出手段を有し、非接触ＩＣカードを用いて特定領域への入場が行われたと判断してから、非接触ＩＣカードを用いて特定領域からの退場が行われたと判断するまでの間に、開閉検出手段により開状態を検出した場合には、情報取得手段と、広告情報取得手段と、を実行するためのアプリケーションソフトプログラムを起動させることを特徴とするものである。
【００１４】
また、本発明にかかる通信端末装置は、非接触ＩＣカードと、特定領域への入場または特定領域からの退場の可否を決定する入退場許可装置と、の間で入退場処理を行い、通信端末装置は、特定区域への入場が行われた旨の情報を、非接触ＩＣカードから通知された際に、非接触ＩＣカードを用いて特定領域への入場が行われたと判断し、特定区域からの退場が行われた旨の情報を、非接触ＩＣカードから通知された際に、非接触ＩＣカードを用いて特定領域からの退場が行われたと判断することを特徴とするものである。
【００１５】
また、本発明にかかる通信端末装置において、情報量は、情報提供装置から取得した情報のパケット量、または、情報提供装置から取得した情報を通信端末装置の表示部に表示した表示画面数であることを特徴とするものである。
【００１６】
また、本発明にかかる情報取得システムは、特定領域に入退場するための入退場処理を行う非接触ＩＣカードを搭載した通信端末装置と、通信端末装置に情報を提供する情報提供装置と、を有して構成される情報取得システムであって、通信端末装置は、非接触ＩＣカードを用いて特定領域への入場が行われたと判断した際に、情報提供装置と接続し、情報提供装置から情報を取得する情報取得手段と、情報取得手段により取得した情報量に応じて、情報提供装置から所定の広告情報を取得する広告情報取得手段と、を有することを特徴とするものである。
【００１７】
また、本発明にかかる情報取得システムにおいて、通信端末装置は、情報提供装置と接続するための接続情報を格納する接続情報格納手段を有し、通信端末装置は、非接触ＩＣカードを用いて特定領域への入場が行われたと判断した際に、接続情報格納手段に格納されている接続情報を読み出し、該読み出した接続情報を基に、情報提供装置と接続することを特徴とするものである。
【００１８】
また、本発明にかかる情報取得システムにおいて、通信端末装置は、情報提供装置から取得する情報を選択する情報選択手段を有し、情報選択手段により選択された情報を、情報提供装置から取得することを特徴とするものである。
【００１９】
また、本発明にかかる情報取得システムにおいて、通信端末装置は、非接触ＩＣカードを用いて特定領域への入場が行われたと判断した際、または、非接触ＩＣカードを用いて特定領域からの退場が行われたと判断した際に、情報提供装置から所定の広告情報を取得することを特徴とするものである。
【００２０】
また、本発明にかかる情報取得システムにおいて、情報量は、情報提供装置から取得した情報のパケット量、または、情報提供装置から取得した情報を通信端末装置の表示部に表示した表示画面数であることを特徴とするものである。
【００２１】
また、本発明にかかる情報取得方法は、特定領域に入退場するための入退場処理を行う非接触ＩＣカードを搭載した通信端末装置が、所定の情報提供装置から情報を取得する情報取得方法であって、非接触ＩＣカードを用いて特定領域への入場が行われたと判断した際に、所定の情報提供装置と接続し、情報提供装置から情報を取得する情報取得工程と、情報取得工程により取得した情報量に応じて、情報提供装置から所定の広告情報を取得する広告情報取得工程と、を、通信端末装置が行うことを特徴とするものである。
【００２２】
また、本発明にかかる情報取得方法において、通信端末装置は、情報提供装置と接続するための接続情報を格納する接続情報格納手段を有し、通信端末装置は、非接触ＩＣカードを用いて特定領域への入場が行われたと判断した際に、接続情報格納手段に格納されている接続情報を読み出し、該読み出した接続情報を基に、情報提供装置と接続することを特徴とするものである。
【００２３】
また、本発明にかかる情報取得方法において、情報提供装置から取得する情報を選択する情報選択工程を、通信端末装置が行い、通信端末装置は、情報選択工程により選択された情報を、情報提供装置から取得することを特徴とするものである。
【００２４】
また、本発明にかかる情報取得方法において、通信端末装置は、非接触ＩＣカードを用いて特定領域への入場が行われたと判断した際、または、非接触ＩＣカードを用いて特定領域からの退場が行われたと判断した際に、情報提供装置から所定の広告情報を取得することを特徴とするものである。
【００２５】
また、本発明にかかる情報取得方法において、通信端末装置は、第１の筐体と、第２の筐体と、ヒンジと、を有し、ヒンジを介して、第１の筐体と、第２の筐体と、が開閉可能な構造からなる通信端末装置であり、第１の筐体と、第２の筐体と、の開閉状態を検出する開閉検出手段を有し、通信端末装置は、非接触ＩＣカードを用いて特定領域への入場が行われたと判断してから、非接触ＩＣカードを用いて特定領域からの退場が行われたと判断するまでの間に、開閉検出手段により開状態を検出した場合には、情報取得工程と、広告情報取得工程と、を行うためのアプリケーションソフトプログラムを起動させることを特徴とするものである。
【００２６】
また、本発明にかかる情報取得方法は、非接触ＩＣカードと、特定領域への入場または特定領域からの退場の可否を決定する入退場許可装置と、の間で入退場処理を行い、通信端末装置は、特定区域への入場が行われた旨の情報を、非接触ＩＣカードから通知された際に、非接触ＩＣカードを用いて特定領域への入場が行われたと判断し、特定区域からの退場が行われた旨の情報を、非接触ＩＣカードから通知された際に、非接触ＩＣカードを用いて特定領域からの退場が行われたと判断することを特徴とするものである。
【００２７】
また、本発明にかかる情報取得方法において、情報量は、情報提供装置から取得した情報のパケット量、または、情報提供装置から取得した情報を通信端末装置の表示部に表示した表示画面数であることを特徴とするものである。
【００２８】
また、本発明にかかる情報取得プログラムは、特定領域に入退場するための入退場処理を行う非接触ＩＣカードを搭載した通信端末装置において実行させる情報取得プログラムであって、非接触ＩＣカードを用いて特定領域への入場が行われたと判断した際に、所定の情報提供装置と接続し、情報提供装置から情報を取得する情報取得処理と、情報取得処理により取得した情報量に応じて、情報提供装置から所定の広告情報を取得する広告情報取得処理と、を、通信端末装置に実行させることを特徴とするものである。
【００２９】
また、本発明にかかる情報取得プログラムにおいて、通信端末装置は、情報提供装置と接続するための接続情報を格納する接続情報格納手段を有し、情報取得処理は、非接触ＩＣカードを用いて特定領域への入場が行われたと判断した際に、接続情報格納手段に格納されている接続情報を読み出し、該読み出した接続情報を基に、情報提供装置と接続することを特徴とするものである。
【００３０】
また、本発明にかかる情報取得プログラムは、情報提供装置から取得する情報を選択する情報選択処理を、通信端末装置に実行させ、情報取得処理は、情報選択処理により選択された情報を、情報提供装置から取得することを特徴とするものである。
【００３１】
また、本発明にかかる情報取得プログラムにおいて、広告情報取得処理は、非接触ＩＣカードを用いて特定領域への入場が行われたと判断した際、または、非接触ＩＣカードを用いて特定領域からの退場が行われたと判断した際に、情報提供装置から所定の広告情報を取得することを特徴とするものである。
【００３２】
また、本発明にかかる情報取得プログラムにおいて、通信端末装置は、第１の筐体と、第２の筐体と、ヒンジと、を有し、ヒンジを介して、第１の筐体と、第２の筐体と、が開閉可能な構造からなる通信端末装置であり、第１の筐体と、第２の筐体と、の開閉状態を検出する開閉検出手段を有し、通信端末装置は、非接触ＩＣカードを用いて特定領域への入場が行われたと判断してから、非接触ＩＣカードを用いて特定領域からの退場が行われたと判断するまでの間に、開閉検出手段により開状態を検出した場合には、情報取得処理と、広告情報取得処理と、を実行させるためのアプリケーションソフトプログラムを起動させることを特徴とするものである。
【００３３】
また、本発明にかかる情報取得プログラムは、非接触ＩＣカードと、特定領域への入場または特定領域からの退場の可否を決定する入退場許可装置と、の間で入退場処理を行い、通信端末装置は、特定区域への入場が行われた旨の情報を、非接触ＩＣカードから通知された際に、非接触ＩＣカードを用いて特定領域への入場が行われたと判断し、特定区域からの退場が行われた旨の情報を、非接触ＩＣカードから通知された際に、非接触ＩＣカードを用いて特定領域からの退場が行われたと判断することを特徴とするものである。
【００３４】
また、本発明にかかる情報取得プログラムにおいて、情報量は、情報提供装置から取得した情報のパケット量、または、情報提供装置から取得した情報を通信端末装置の表示部に表示した表示画面数であることを特徴とするものである。
【発明の効果】
【００３５】
本発明は、特定領域に入退場するための入退場処理を行う非接触ＩＣカードを搭載した通信端末装置が、非接触ＩＣカードを用いて特定領域への入場が行われたと判断した際に、所定の情報提供装置と接続し、情報提供装置から情報を取得し、所定の情報提供装置から取得した情報量に応じて、情報提供装置から所定の広告情報を取得することを特徴とするものである。これにより、通信端末装置が特定の情報提供装置から取得した情報量に応じて、通信端末装置が強制的に所定の広告情報を取得することが可能となる。
【発明を実施するための最良の形態】
【００３６】
まず、図１を参照しながら、本実施形態における情報取得システムの特徴について説明する。
【００３７】
本実施形態における情報取得システムは、特定領域に入退場するための入退場処理を行う非接触ＩＣカードを搭載した通信端末装置（１１）と、通信端末装置（１１）に情報を提供する情報提供装置（１４）と、を有して構成される情報取得システムである。
【００３８】
そして、通信端末装置（１１）は、非接触ＩＣカードを用いて特定領域への入場が行われたと判断した際に、情報提供装置（１４）と接続し、情報提供装置（１４）から情報（１４２１〜１４２５）を取得する情報取得手段と、情報取得手段により取得した情報（１４２１〜１４２５）量に応じて、情報提供装置（１４）から所定の広告情報（１４３１）を取得する広告情報取得手段と、を有することを特徴とするものである。
【００３９】
これにより、通信端末装置（１１）が特定の情報提供装置（１４）から取得した情報（１４２１〜１４２５）量に応じて、通信端末装置（１１）が強制的に所定の広告情報（１４３１）を取得することになり、通信端末装置（１１）を使用する使用者は、特定領域に入場した際に、情報提供装置（１４）から様々な情報（１４２１〜１４２５）を取得することが可能となり、また、情報提供装置（１４）は、情報提供装置（１４）から所定の情報（１４２１〜１４２５）量を取得した使用者の通信端末装置（１１）に対し、強制的に広告情報（１４３１）を提供することが可能となる。以下、添付図面を参照しながら、本実施形態における情報取得システムについて詳細に説明する。
【００４０】
（第１の実施形態）
まず、図１を参照しながら、本実施形態における情報取得システムのシステム構成について説明する。
【００４１】
本実施形態における情報取得システムは、通信端末装置（１１）と、入退場許可装置（１２、１３）と、情報提供装置（１４）と、を有して構成される。なお、本実施形態における通信端末装置（１１）は、携帯電話機、ＰＤＡ（Personal Digital Assistance）、ＰＣ（Personal Computer）などの通信装置が適用可能であり、非接触ＩＣカードリーダを搭載して構成することになる。なお、通信端末装置（１１）は、ユーザ（１０）が所有することになる。また、入退場許可装置（１２、１３）は、特定領域への入場または特定領域からの退場の可否を決定する情報処理装置である。また、情報提供装置（１４）は、通信端末装置（１１）に対して情報を提供する情報処理装置である。
【００４２】
次に、図１に示す情報取得システムにおける一連の処理動作について概略的に説明する。
【００４３】
まず、非接触ＩＣカードリーダを搭載した通信端末装置（１１）を所有するユーザ（１０）が、非接触ＩＣカードリーダを用いて入退場許可装置（１２）を通過し、特定領域へ入場した際に、通信端末装置（１１）は、非接触ＩＣカードリーダから特定領域への入場が行われた旨が通知されることになる。これにより、通信端末装置（１１）は、非接触ＩＣカードリーダを用いて特定領域への入場が行われたと判断し、通信端末装置（１１）は、Ｗｅｂ上に存在する情報提供装置（１４）にアクセスし、情報提供装置（１４）と接続することになる。これにより、非接触ＩＣカードリーダを用いて入退場許可装置（１２）から特定領域に入場したユーザ（１０）は、通信端末装置（１１）を用いて情報提供装置（１４）から様々な提供情報（１４２１〜１４２５）を取得することになる。
【００４４】
なお、本実施形態における通信端末装置（１１）は、情報提供装置（１４）から取得した提供情報（１４２１〜１４２５）の情報量に応じて所定の広告情報（１４３１）を情報提供装置（１４）から取得することになる。これにより、情報提供装置（１４）は、情報提供装置（１４）から所定の提供情報（１４２１〜１４２５）の情報量を取得したユーザ（１０）の通信端末装置（１１）に対し、強制的に広告情報（１４３１）を提供することが可能となる。
【００４５】
また、本実施形態における通信端末装置（１１）は、非接触ＩＣカードリーダを用いて入退場許可装置（１３）を通過し、特定領域から退場した際に、通信端末装置（１１）は、情報提供装置（１４）から所定の広告情報（１４３１）を取得することになる。また、本実施形態における通信端末装置（１１）は、非接触ＩＣカードリーダを用いて入退場許可装置（１２）を通過し、特定領域へ入場した際に、通信端末装置（１１）は、情報提供装置（１４）から所定の広告情報（１４３１）を取得することになる。これにより、情報提供装置（１４）は、特定領域から退場したユーザ（１０）の通信端末装置（１１）、または、特定領域に入場したユーザ（１０）の通信端末装置（１１）に対し、強制的に広告情報（１４３１）を提供することが可能となる。
【００４６】
なお、情報提供装置（１４）は、通信端末装置（１１）に提供する提供情報（１４２１〜１４２５）及び広告情報（１４３１）を管理する制御部（１４１）と、通信端末装置（１１）に提供する提供情報（１４２１〜１４２５）を格納するデータベース（１４２）と、広告情報（１４３１）を格納するデータベース（１４３）と、を有して構成される。
【００４７】
なお、通信端末装置（１１）に提供する提供情報（１４２１〜１４２５）としては、図１に示すように、出発駅情報（１４２１）と、周辺情報（１４２２）と、他駅情報（１４２３）と、電車事故情報（１４２４）と、事故証明情報（１４２５）と、が挙げられる。
【００４８】
次に、図２を参照しながら、本実施形態における通信端末装置（１１）の内部構成について詳細に説明する。
【００４９】
本実施形態における通信端末装置（１１）は、図２に示すように、送受信部（２１）と、制御部（２２）と、非接触型ＩＣカードリーダ検出部（２３）と、位置検出部（２４）と、操作部（２５）と、表示部（２６）と、記憶部（２７）と、を有して構成される。
【００５０】
送受信部（２１）は、ネットワークを介して情報提供装置（１４）と情報を送受信するものである。
【００５１】
制御部（２２）は、通信端末装置（１１）を統括して制御するものである。なお、制御部（２２）は、通信端末装置（１１）に搭載される非接触ＩＣカードリーダを制御するための非接触ＩＣカードリーダ制御部（２２１）を有して構成される。
【００５２】
非接触ＩＣカードリーダ検出部（２３）は、通信端末装置（１１）に搭載される非接触ＩＣカードリーダの情報を検出するものであり、非接触ＩＣカードリーダ無線部（２３１）と、非接触ＩＣカードリーダデコーダ（２３２）と、を有して構成される。
【００５３】
なお、非接触ＩＣカードリーダ検出部（２３）は、通信端末装置（１１）に搭載される非接触ＩＣカードリーダと、入退場許可装置（１２、１３）と、の間で行った入退場処理時の情報を取得し、その取得した入退場処理時の情報を非接触ＩＣカードリーダ制御部（２２１）に送信する。これにより、非接触ＩＣカードリーダ制御部（２２１）は、非接触ＩＣカードリーダ検出部（２３）から送信された情報を基に、表示部（２６）に表示させたり、記憶部（２７）に記憶したりすることになる。
【００５４】
位置検出部（２４）は、通信端末装置（１１）の現在の位置情報を検出するものである。なお、位置検出部（２４）は、通信端末装置（１１）の現在の位置情報を検出することが可能であれば、公知の位置検出機能を適用することは可能であり、ＧＰＳ機能等が適用可能である。
【００５５】
操作部（２５）は、通信端末装置（１１）における各種制御を操作するためのものである。
【００５６】
表示部（２６）は、各種情報を表示するためのものであり、記憶部（２７）は、各種情報を記憶するためのものである。
【００５７】
次に、図１、図２を参照しながら、本実施形態の通信端末装置（１１）を用いて、情報提供装置（１４）から提供情報（１４２１〜１４２５）を取得する際の処理動作について説明する。
【００５８】
まず、情報提供装置（１４）から出発駅情報（１４２１）を取得する場合には、ユーザ（１０）は、通信端末装置（１１）の具備する操作部（２５）を用いて、出発駅情報の取得要求を情報提供装置（１４）に送信する。情報提供装置（１４）は、通信端末装置（１１）から受信した出発駅情報の取得要求を基に、データベース（１４２）を検索し、通信端末装置（１１）から受信した出発駅情報の取得要求に応じた出発駅情報（１４２１）を、通信端末装置（１１）に提供する。なお、出発駅情報（１４２１）としては、出発駅の電車発着時間情報、何番ホームがどこ行きか等の地図情報、出発駅の事故情報等が挙げられる。
【００５９】
また、情報提供装置（１４）から周辺情報（１４２２）を取得する場合には、ユーザ（１０）は、位置検出部（２４）において検出した位置情報を、情報提供装置（１４）に送信する。情報提供装置（１４）は、通信端末装置（１１）から受信した位置情報を基に、データベース（１４２）を検索し、通信端末装置（１１）から受信した位置情報周辺の周辺情報（１４２２）を取得し、該取得した周辺情報（１４２２）を、通信端末装置（１１）に提供する。なお、周辺情報（１４２２）としては、飲食施設情報等が挙げられる。
【００６０】
また、情報提供装置（１４）から他駅情報（１４２３）を取得する場合には、ユーザ（１０）は、通信端末装置（１１）の具備する操作部（２５）を用いて、他駅名情報を情報提供装置（１４）に送信する。情報提供装置（１４）は、通信端末装置（１１）から受信した他駅名情報を基に、データベース（１４２）を検索し、通信端末装置（１１）から受信した他駅名情報に応じた他駅情報（１４２３）を、通信端末装置（１１）に提供する。なお、他駅情報（１４２３）としては、他駅の乗場情報、他駅周辺の飲食情報、他駅の事故情報等が挙げられる。
【００６１】
なお、他駅の乗場情報は、例えば、図３に示すように、出発及び到着予定車両の地図情報が通信端末装置（１１）の表示部（２６）上に表示され、どこに乗れば、到着駅の〜口階段に近いか等がユーザにわかるような情報が好ましい。
【００６２】
また、情報提供装置（１４）から電車事故情報（１４２４）を取得する場合には、ユーザ（１０）は、通信端末装置（１１）の具備する操作部（２５）を用いて、電車事故情報の取得要求を情報提供装置（１４）に送信する。情報提供装置（１４）は、通信端末装置（１１）から受信した電車事故情報の取得要求を基に、データベース（１４２）を検索し、通信端末装置（１１）から受信した電車事故情報の取得要求に応じた電車事故情報（１４２４）を、通信端末装置（１１）に提供する。なお、電車事故情報（１４２４）としては、事故状況情報、復旧の予定情報、他電車の他経由案内情報等が挙げられる。
【００６３】
また、情報提供装置（１４）から事故証明情報（１４２５）を取得する場合には、ユーザ（１０）は、通信端末装置（１１）の具備する操作部（２５）を用いて、事故証明情報の取得要求を情報提供装置（１４）に送信する。情報提供装置（１４）は、通信端末装置（１１）から受信した事故証明情報の取得要求を基に、データベース（１４２）を検索し、通信端末装置（１１）から受信した事故証明情報の取得要求に応じた事故証明情報（１４２５）を、通信端末装置（１１）に提供する。
【００６４】
なお、通信端末装置（１１）が、情報提供装置（１４）の具備するデータベース（１４２）から提供情報（１４２１〜１４２５）を取得する際には、図４に示すような利用画面を通信端末装置（１１）の具備する表示部（２６）上に最初に表示させ、情報提供装置（１４）からどの提供情報（１４２１〜１４２５）を取得するのかをユーザ（１０）が操作部（２５）を用いて選択できるようにすることが好ましい。これにより、ユーザ（１０）は、表示部（２６）に表示された図４に示す利用画面を基に、操作部（２５）を用いて所望の提供情報（１４２１〜１４２５）を選択し、情報提供装置（１４）から所望の提供情報（１４２１〜１４２５）を取得することが可能となる。
【００６５】
次に、図１、図２、図５を参照しながら、本実施形態の情報取得システムにおける一連の処理動作について詳細に説明する。
【００６６】
まず、ユーザ（１０）が非接触ＩＣカードリーダ搭載通信端末装置（１１）を使用し、入退場許可装置（１２）を通過する（ステップＡ１）。これにより、非接触ＩＣカードリーダ検出部（２３）は、非接触ＩＣカードリーダから出発駅通過情報を取得し、その取得した出発駅通過情報を、制御部（２２）に通知する。これにより、非接触ＩＣカードリーダ制御部（２２１）は、非接触ＩＣカードリーダ検出部（２３）から出発駅通過情報を取得することになり、非接触ＩＣカードリーダ制御部（２２１）は、非接触ＩＣカードリーダ検出部（２３）から取得した出発駅通過情報を記憶部（２７）に記憶することになる（ステップＡ２）。
【００６７】
また、制御部（２２）は、非接触ＩＣカードリーダ検出部（２３）から出発駅通過情報が通知された際に、情報提供装置（１４）から提供情報（１４２１〜１４２５）を取得するためのアプリケーションプログラムを起動させ、制御部（２２）は、記憶部（２７）の中から情報提供装置（１４）にアクセスするための接続情報を読み出し、その読み出した接続情報を基に、非接触ＩＣカードリーダ検出部（２３）から通知された出発駅通過情報を、送受信部（２１）を介して情報提供装置（１４）に送信し、情報提供装置（１４）と接続することになる（ステップＡ３）。
【００６８】
次に、制御部（２２）は、情報提供装置（１４）から提供情報（１４２１〜１４２５）を取得するための所定の利用画面（例えば、図４）を表示部（２６）上に表示し（ステップＡ４）、提供情報（１４２１〜１４２５）の選択要求を行うことになる。これにより、ユーザ（１０）は、操作部（２５）を用いて、情報提供装置（１４）から取得したい提供情報（１４２１〜１４２５）を選択することになる。
【００６９】
次に、制御部（２２）は、情報提供装置（１４）から取得する提供情報（１４２１〜１４２５）の選択操作が行われたと判断した際に（ステップＡ５）、制御部（２２）は、その選択操作された提供情報（１４２１〜１４２５）の取得要求を、情報提供装置（１４）に送信する（ステップＡ６）。これにより、情報提供装置（１４）は、通信端末装置（１１）から受信した提供情報（１４２１〜１４２５）の取得要求を基に、データベース（１４２）を検索し、通信端末装置（１１）から受信した提供情報（１４２１〜１４２５）の取得要求に応じた提供情報（１４２１〜１４２５）を、通信端末装置（１１）に送信することになり、通信端末装置（１１）は、ユーザ（１０）の所望する提供情報（１４２１〜１４２５）を情報提供装置（１４）から取得することになる。
【００７０】
なお、制御部（２２）は、情報提供装置（１４）から取得する提供情報（１４２１〜１４２５）に応じて、位置検出部（２４）から現在の位置情報を取得したりすることになる（ステップＡ５、Ａ６）。
【００７１】
次に、制御部（２２）は、情報提供装置（１４）から取得した提供情報（１４２１〜１４２５）を表示部（２６）上に表示することになる（ステップＡ７）。
【００７２】
次に、制御部（２２）は、情報提供装置（１４）から取得した提供情報（１４２１〜１４２５）の情報量が所定の閾値以上になったか否かを判断し（ステップＡ８）、情報提供装置（１４）から取得した提供情報（１４２１〜１４２５）の情報量が所定の閾値以上になったと判断した場合は（ステップＡ８／Ｙｅｓ）、制御部（２２）は、情報提供装置（１４）から所定の広告情報（１４３１）を取得するための取得要求を情報提供装置（１４）に送信することになる。これにより、情報提供装置（１４）は、通信端末装置（１１）から受信した広告情報（１４３１）の取得要求を基に、データベース（１４３）を検索し、通信端末装置（１１）から受信した広告情報（１４３１）の取得要求に応じた広告情報（１４３１）を、通信端末装置（１１）に送信し、通信端末装置（１１）は、情報提供装置（１４）から取得した広告情報（１４３１）を、通信端末装置（１１）の具備する表示部（２６）上に表示することになる（ステップＡ９）。
【００７３】
なお、情報提供装置（１４）から取得した提供情報（１４２１〜１４２５）の情報量が所定の閾値以上になったか否かを判断する際の判断条件としては、例えば、情報提供装置（１４）から取得した提供情報（１４２１〜１４２５）のパケット量、または、情報提供装置（１４）から取得した提供情報（１４２１〜１４２５）を通信端末装置（１１）の表示部（２６）上に表示した表示画面数等が挙げられる。
【００７４】
また、制御部（２２）は、情報提供装置（１４）からの提供情報（１４２１〜１４２５）の取得を継続するか否かを判断し（ステップＡ１０）、情報提供装置（１４）からの提供情報（１４２１〜１４２５）の取得を継続すると判断した場合には（ステップＡ１０／Ｙｅｓ）、ステップＡ４に移行し、情報提供装置（１４）から提供情報（１４２１〜１４２５）を取得するための所定の利用画面（例えば、図４）を表示部（２６）上に表示することになる（ステップＡ４）。なお、制御部（２２）は、所定の利用仮面（例えば、図４）を表示部（２６）上に表示させた際には、情報提供装置（１４）から取得した提供情報（１４２１〜１４２５）の合計情報量をリセットすることになる。
【００７５】
また、情報提供装置（１４）から取得した提供情報（１４２１〜１４２５）の情報量が所定の閾値以上になっていないと判断した場合は（ステップＡ８／Ｎｏ）、ステップＡ４に移行し、情報提供装置（１４）から提供情報（１４２１〜１４２５）を取得するための所定の利用画面（例えば、図４）を表示部（２６）上に表示することになる（ステップＡ４）。
【００７６】
このように、本実施形態における情報取得システムは、非接触ＩＣカードリーダを搭載した通信端末装置（１１）を所有するユーザ（１０）が、非接触ＩＣカードリーダを用いて入退場許可装置（１２）を通過し、特定領域へ入場し、出発駅通過情報を取得したと判断した際に、通信端末装置（１１）は、記憶部（２７）に格納されている接続情報を基に、Ｗｅｂ上に存在する情報提供装置（１４）にアクセスし、情報提供装置（１４）と接続することになる。そして、ユーザ（１０）は、通信端末装置（１１）の操作部（２５）を用いて情報提供装置（１４）から様々な提供情報（１４２１〜１４２５）を取得し、その情報提供装置（１４）から取得した提供情報（１４２１〜１４２５）の情報量が所定の閾値以上になったと判断した場合には、通信端末装置（１１）は、所定の広告情報（１４３１）を取得するための取得要求を情報提供装置（１４）に送信することになる。これにより、情報提供装置（１４）は、所定の提供情報（１４２１〜１４２５）の情報量を情報提供装置（１４）から取得したユーザの通信端末装置（１１）に対し、強制的に広告情報（１４３１）を提供することが可能となる。
【００７７】
なお、通信端末装置（１１）が、情報提供装置（１４）から所定の広告情報を取得する場合には、通信端末装置（１１）が情報提供装置（１４）から取得した提供情報や、通信端末装置（１１）の位置情報や、通信端末装置（１１）に搭載された非接触ＩＣカードリーダを用いて取得した出発駅通過情報等を基に、通信端末装置（１１）に最適な広告情報を情報提供装置（１４）から取得するように構築することも可能である。
【００７８】
（第２の実施形態）
次に、第２の実施形態について説明する。
【００７９】
第２の実施形態における情報取得システムは、図１に示すように、ユーザ（１０）が、非接触ＩＣカードリーダを用いて入退場許可装置（１３）を通過し、特定領域から退場したと判断した際に、通信端末装置（１１）は、情報提供装置（１４）から所定の広告情報（１４３１）を取得することになる。これにより、情報提供装置（１４）は、特定領域から退場したユーザ（１０）の通信端末装置（１１）に対し、強制的に広告情報（１４３１）を提供することが可能となる。以下、図１、図６を参照しながら、第２の実施形態の情報取得システムにおける一連の処理動作について詳細に説明する。
【００８０】
まず、ユーザ（１０）が非接触ＩＣカードリーダ搭載通信端末装置（１１）を使用し、入退場許可装置（１２）を通過する（ステップＢ１）。これにより、非接触ＩＣカードリーダ検出部（２３）は、非接触ＩＣカードリーダから出発駅通過情報を取得し、その取得した出発駅通過情報を、制御部（２２）に通知する。これにより、非接触ＩＣカードリーダ制御部（２２１）は、非接触ＩＣカードリーダ検出部（２３）から出発駅通過情報を取得することになり、非接触ＩＣカードリーダ制御部（２２１）は、非接触ＩＣカードリーダ検出部（２３）から取得した出発駅通過情報を記憶部（２７）に記憶することになる（ステップＢ２）。
【００８１】
また、制御部（２２）は、非接触ＩＣカードリーダ検出部（２３）から出発駅通過情報が通知された際に、情報提供装置（１４）から提供情報（１４２１〜１４２５）を取得するためのアプリケーションプログラムを起動させ、制御部（２２）は、記憶部（２７）の中から情報提供装置（１４）にアクセスするための接続情報を読み出し、その読み出した接続情報を基に、非接触ＩＣカードリーダ検出部（２３）から通知された出発駅通過情報を、送受信部（２１）を介して情報提供装置（１４）に送信し、情報提供装置（１４）と接続することになる（ステップＢ３）。
【００８２】
次に、制御部（２２）は、情報提供装置（１４）から提供情報（１４２１〜１４２５）を取得するための所定の利用画面（例えば、図４）を表示部（２６）上に表示し（ステップＢ４）、提供情報（１４２１〜１４２５）の選択要求を行うことになる。これにより、ユーザ（１０）は、操作部（２５）を用いて、情報提供装置（１４）から取得したい提供情報（１４２１〜１４２５）を選択することになる。
【００８３】
次に、制御部（２２）は、情報提供装置（１４）から取得する提供情報（１４２１〜１４２５）の選択操作が行われたと判断した際に（ステップＢ５）、制御部（２２）は、その選択操作された提供情報（１４２１〜１４２５）の取得要求を、情報提供装置（１４）に送信する（ステップＢ６）。これにより、情報提供装置（１４）は、通信端末装置（１１）から受信した提供情報（１４２１〜１４２５）の取得要求を基に、データベース（１４２）を検索し、通信端末装置（１１）から受信した提供情報（１４２１〜１４２５）の取得要求に応じた提供情報（１４２１〜１４２５）を、通信端末装置（１１）に送信することになり、通信端末装置（１１）は、ユーザ（１０）の所望する提供情報（１４２１〜１４２５）を情報提供装置（１４）から取得することになる。
【００８４】
なお、制御部（２２）は、情報提供装置（１４）から取得する提供情報（１４２１〜１４２５）に応じて、位置検出部（２４）から現在の位置情報を取得したりすることになる（ステップＢ５、Ｂ６）。
【００８５】
次に、制御部（２２）は、情報提供装置（１４）から取得した提供情報（１４２１〜１４２５）を表示部（２６）上に表示することになる（ステップＢ７）。
【００８６】
次に、制御部（２２）は、ユーザ（１０）が非接触ＩＣカードリーダ搭載通信端末装置（１１）を使用し、入退場許可装置（１３）を通過したか否かを判断し（ステップＢ８）、入退場許可装置（１３）を通過したと判断した場合には（ステップＢ８／Ｙｅｓ）、制御部（２２）は、非接触ＩＣカードリーダ検出部（２３）から到着駅通過情報を取得することになる（ステップＢ９）。
【００８７】
次に、制御部（２２）は、非接触ＩＣカードリーダ検出部（２３）から取得した到着駅通過情報を、情報提供装置（１４）に送信し、所定の広告情報（１４３１）の取得要求を情報提供装置（１４）に送信する。これにより、情報提供装置（１４）は、通信端末装置（１１）から受信した広告情報（１４３１）の取得要求を基に、データベース（１４３）を検索し、通信端末装置（１１）から受信した広告情報（１４３１）の取得要求に応じた広告情報（１４３１）を、通信端末装置（１１）に送信し、通信端末装置（１１）は、情報提供装置（１４）から取得した広告情報（１４３１）を、通信端末装置（１１）の具備する表示部（２６）上に表示することになる（ステップＢ１０）。
【００８８】
このように、第２の実施形態における情報取得システムは、ユーザ（１０）が、非接触ＩＣカードリーダを用いて入退場許可装置（１３）を通過し、通信端末装置（１１）が、特定領域から退場したと判断した際に、通信端末装置（１１）は、情報提供装置（１４）から所定の広告情報（１４３１）を取得することになるため、情報提供装置（１４）は、特定領域から退場したユーザ（１０）の通信端末装置（１１）に対し、強制的に広告情報（１４３１）を提供することが可能となる。なお、上述した処理動作では、ユーザ（１０）が、非接触ＩＣカードリーダを用いて入退場許可装置（１３）を通過し、特定領域から退場したと判断した際に、所定の広告情報（１４３１）の取得要求を情報提供装置（１４）に送信し、情報提供装置（１４）から強制的に所定の広告情報（１４３１）を取得することにしたが、ユーザ（１０）が、非接触ＩＣカードリーダを用いて入退場許可装置（１２）を通過し、通信端末装置（１１）が、特定領域に入場したと判断した際に、所定の広告情報（１４３１）の取得要求を情報提供装置（１４）に送信し、情報提供装置（１４）から強制的に所定の広告情報（１４３１）を取得するように構築することも可能である。
【００８９】
（第３の実施形態）
次に、第３の実施形態について説明する。
【００９０】
第３の実施形態における情報取得システムは、図７に示すように、第１の筐体（１）と、第２の筐体（２）と、ヒンジ（３）と、を有し、ヒンジ（３）を介して、第１の筐体（１）と、第２の筐体（２）と、が開閉可能な構造からなる通信端末装置であり、第１の筐体（１）と、第２の筐体（２）と、の開閉状態を検出する開閉検出部（４０）を有し、非接触ＩＣカードリーダを用いて特定領域への入場が行われたと判断してから、非接触ＩＣカードリーダを用いて特定領域からの退場が行われたと判断するまでの間に、開閉検出部（４０）により開状態を検出した場合には、アプリケーションソフトプログラムを起動させ、情報提供装置（１４）から提供情報（１４２１〜１４２５）を取得するための所定の利用画面（例えば、図４）を表示部（２６）上に表示することを特徴とする。これにより、ユーザ（１０）が、特定領域内にいる場合に、通信端末装置（１１）が開状態を検出した場合には、自動的にアプリケーションプログラムを起動させ、情報提供装置（１４）から提供情報（１４２１〜１４２５）を取得するための所定の利用画面を表示部（２６）上に表示することが可能となる。以下、図７〜図９を参照しながら、第３の実施形態における情報取得システムについて説明する。
【００９１】
まず、図７、図８を参照しながら、第３の実施形態における情報取得システムに適用される通信端末装置（１１）の構成について説明する。なお、図７は、第３の実施形態における通信端末装置（１１）の外観図を示し、図８は、第３の実施形態における通信端末装置（１１）の内部構成を示す図である。
【００９２】
第３の実施形態における通信端末装置（１１）は、図７に示すように、第１の筐体（１）と、第２の筐体（２）と、ヒンジ（３）と、を有し、ヒンジ（３）を介して、第１の筐体（１）と、第２の筐体（２）と、が開閉可能な構造からなる通信端末装置であり、図７、図８に示すように、第１の筐体（１）と、第２の筐体（２）と、の開閉状態を検出する開閉検出部（４０）を有して構成される。なお、他の構成については、図２に示す通信端末装置（１１）と同様な機能を有して構成される。
【００９３】
次に、図１、図８、図９を参照しながら、第３の実施形態の情報取得システムにおける一連の処理動作について説明する。
【００９４】
まず、ユーザ（１０）が非接触ＩＣカードリーダ搭載通信端末装置（１１）を使用し、入退場許可装置（１２）を通過する（ステップＣ１）。これにより、非接触ＩＣカードリーダ検出部（２３）は、非接触ＩＣカードリーダから出発駅通過情報を取得し、その取得した出発駅通過情報を、制御部（２２）に通知する。これにより、非接触ＩＣカードリーダ制御部（２２１）は、非接触ＩＣカードリーダ検出部（２３）から出発駅通過情報を取得することになり、非接触ＩＣカードリーダ制御部（２２１）は、非接触ＩＣカードリーダ検出部（２３）から取得した出発駅通過情報を記憶部（２７）に記憶することになる（ステップＣ２）。
【００９５】
また、制御部（２２）は、非接触ＩＣカードリーダ検出部（２３）から出発駅通過情報が通知された際に、情報提供装置（１４）から提供情報（１４２１〜１４２５）を取得するためのアプリケーションプログラムを起動させ、制御部（２２）は、記憶部（２７）の中から情報提供装置（１４）にアクセスするための接続情報を読み出し、その読み出した接続情報を基に、非接触ＩＣカードリーダ検出部（２３）から通知された出発駅通過情報を、送受信部（２１）を介して情報提供装置（１４）に送信し、情報提供装置（１４）と接続することになる（ステップＣ３）。
【００９６】
次に、制御部（２２）は、情報提供装置（１４）から提供情報（１４２１〜１４２５）を取得するための所定の利用画面（例えば、図４）を表示部（２６）上に表示し（ステップＣ４）、提供情報（１４２１〜１４２５）の選択要求を行うことになる。これにより、ユーザ（１０）は、操作部（２５）を用いて、情報提供装置（１４）から取得したい提供情報（１４２１〜１４２５）を選択することになる。
【００９７】
次に、制御部（２２）は、情報提供装置（１４）から取得する提供情報（１４２１〜１４２５）の選択操作が行われたと判断した際に（ステップＣ５）、制御部（２２）は、その選択操作された提供情報（１４２１〜１４２５）の取得要求を、情報提供装置（１４）に送信する（ステップＣ６）。これにより、情報提供装置（１４）は、通信端末装置（１１）から受信した提供情報（１４２１〜１４２５）の取得要求を基に、データベース（１４２）を検索し、通信端末装置（１１）から受信した提供情報（１４２１〜１４２５）の取得要求に応じた提供情報（１４２１〜１４２５）を、通信端末装置（１１）に送信することになり、通信端末装置（１１）は、ユーザ（１０）の所望する提供情報（１４２１〜１４２５）を情報提供装置（１４）から取得することになる。
【００９８】
なお、制御部（２２）は、情報提供装置（１４）から取得する提供情報（１４２１〜１４２５）に応じて、位置検出部（２４）から現在の位置情報を取得したりすることになる（ステップＣ５、Ｃ６）。
【００９９】
次に、制御部（２２）は、情報提供装置（１４）から取得した提供情報（１４２１〜１４２５）を表示部（２６）上に表示することになる（ステップＣ７）。
【０１００】
次に、ユーザ（１０）は、ヒンジ（３）を介して第１の筐体（１）と、第２の筐体（２）と、を閉じ、通信端末装置（１１）を閉状態にする。
【０１０１】
その後、ユーザ（１０）は、ヒンジ（３）を介して第１の筐体（１）と、第２の筐体（２）と、を開き、通信端末装置（１１）を開状態にする。
【０１０２】
この時、開閉検出部（４０）は、通信端末装置（１１）が開状態になった旨を検出し、開状態の旨を制御部（２２）に通知することになる。
【０１０３】
制御部（２２）は、開閉検出部（４０）から開状態の旨が通知されることで、通信端末装置（１１）が開状態であると判断し（ステップＣ８／Ｙｅｓ）、制御部（２２）は、アプリケーションソフトプログラムを起動させ、情報提供装置（１４）から提供情報（１４２１〜１４２５）を取得するための所定の利用画面（例えば、図４）を表示部（２６）上に表示することになる（ステップＣ９）。なお、この時、制御部（２２）は、情報提供装置（１４）から既に取得している提供情報（１４２１〜１４２５）を表示部（２６）上に表示するように構築することも可能である。
【０１０４】
次に、制御部（２２）は、ユーザ（１０）が非接触ＩＣカードリーダ搭載通信端末装置（１１）を使用し、入退場許可装置（１３）を通過したか否かを判断し（ステップＣ１０）、入退場許可装置（１３）を通過したと判断した場合には（ステップＣ１０／Ｙｅｓ）、制御部（２２）は、非接触ＩＣカードリーダ検出部（２３）から到着駅通過情報を取得することになる（ステップＣ１１）。
【０１０５】
次に、制御部（２２）は、非接触ＩＣカードリーダ検出部（２３）から取得した到着駅通過情報を、情報提供装置（１４）に送信し、所定の広告情報（１４３１）の取得要求を情報提供装置（１４）に送信する。これにより、情報提供装置（１４）は、通信端末装置（１１）から受信した広告情報（１４３１）の取得要求を基に、データベース（１４３）を検索し、通信端末装置（１１）から受信した広告情報（１４３１）の取得要求に応じた広告情報（１４３１）を、通信端末装置（１１）に送信し、通信端末装置（１１）は、情報提供装置（１４）から取得した広告情報（１４３１）を、通信端末装置（１１）の具備する表示部（２６）上に表示することになる（ステップＣ１２）。
【０１０６】
次に、ユーザ（１０）は、ヒンジ（３）を介して第１の筐体（１）と、第２の筐体（２）と、を閉じ、通信端末装置（１１）を閉状態にする。
【０１０７】
その後、ユーザ（１０）は、ヒンジ（３）を介して第１の筐体（１）と、第２の筐体（２）と、を開き、通信端末装置（１１）を開状態にする。
【０１０８】
この時、開閉検出部（４０）は、通信端末装置（１１）が開状態になった旨を検出し、開状態の旨を制御部（２２）に通知することになる。
【０１０９】
制御部（２２）は、開閉検出部（４０）から開状態の旨が通知されることで、通信端末装置（１１）が開状態であると判断し（ステップＣ１３／Ｙｅｓ）、制御部（２２）は、アプリケーションソフトプログラムを起動させ、情報提供装置（１４）から取得した所定の広告情報（１４３１）を表示部（２６）上に表示することになる（ステップＣ１４）。
【０１１０】
このように、第３の実施形態における情報取得システムは、第１の筐体（１）と、第２の筐体（２）と、の開閉状態を検出する開閉検出部（４０）を有し、非接触ＩＣカードリーダを用いて特定領域への入場が行われたと判断してから、非接触ＩＣカードリーダを用いて特定領域からの退場が行われたと判断するまでの間に、開閉検出部（４０）により開状態を検出した場合には、アプリケーションソフトプログラムを起動させ、情報提供装置（１４）から提供情報（１４２１〜１４２５）を取得するための所定の利用画面（例えば、図４）を表示部（２６）上に表示することになる。また、非接触ＩＣカードリーダを用いて特定領域からの退場が行われたと判断した後に、開閉検出部（４０）により開状態を検出した場合には、アプリケーションソフトプログラムを起動させ、情報提供装置（１４）から取得した広告情報を表示部（２６）上に表示することになる。これにより、ユーザ（１０）が、特定領域内にいる場合に、通信端末装置（１１）が開状態を検出した場合には、自動的にアプリケーションプログラムを起動させ、情報提供装置（１４）から提供情報（１４２１〜１４２５）を取得するための所定の利用画面を表示部（２６）上に表示することが可能となる。また、特定領域からでた場合には、情報提供装置（１４）から取得した所定の広告情報を表示部（２６）上に表示することが可能となる。
【０１１１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１１２】
例えば、上述した情報取得システムにおける一連の制御動作は、駅を想定して説明することにしたが、非接触ＩＣカードリーダを用いて特定領域への入退場処理を行うサービスシステムであれば、あらゆるサービスシステムに対し、上述した情報取得システムの技術思想を適用することは可能である。
【０１１３】
また、上述した実施形態における情報取得システムにおける制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、通信端末装置（１１）に読み込ませることで、上述した制御動作を、通信端末装置（１１）において実行させることも可能である。また、所定のネットワークを介して接続されている外部機器から上記プログラムを通信端末装置（１１）に読み込ませることで、上述した制御動作を、通信端末装置（１１）において実行させることも可能である。
【産業上の利用可能性】
【０１１４】
本発明にかかる通信端末装置、情報取得システム、情報取得方法及び情報取得プログラムは、非接触ＩＣカードを搭載した通信端末装置を利用して特定の領域に入場した場合にのみ、特定の情報提供装置から情報を取得することが可能な通信端末装置、情報取得システム、情報取得方法及び情報取得プログラムに適用可能である。
【図面の簡単な説明】
【０１１５】
【図１】本実施形態の情報取得システムのシステム構成を示す図である。
【図２】本実施形態の情報取得システムを構成する通信端末装置（１１）の内部構成を示す図である。
【図３】情報提供装置（１４）から取得した他駅情報（１４２３）を表示部（２６）上に表示した際の表示例を示す図である。
【図４】情報提供装置（１４）から提供情報（１４２１〜１４２５）を取得するための所定の利用画面を表示部（２６）上に表示した際の表示例を示す図である。
【図５】第１の実施形態の情報取得システムにおける一連の処理動作を示す図である。
【図６】第２の実施形態の情報取得システムにおける一連の処理動作を示す図である。
【図７】第３の実施形態の情報取得システムを構成する通信端末装置（１４）の構成を示す外観図である。
【図８】第３の実施形態の情報取得システムを構成する通信端末装置（１４）の内部構成を示す図である。
【図９】第３の実施形態の情報取得システムにおける一連の処理動作を示す図である。
【符号の説明】
【０１１６】
１    第１の筐体
２    第２の筐体
３    ヒンジ
１０    ユーザ
１１    通信端末装置
１２、１３    入退場許可装置
１４    情報提供装置
２１    送受信部
２２    制御部
２２１    非接触ＩＣカードリーダ制御部
２３    非接触ＩＣカードリーダ検出部
２３１    非接触ＩＣカードリーダ無線部
２３２    非接触ＩＣカードリーダデコーダ
２４    位置検出部
２５    操作部
２６    表示部
２７    記憶部
４０    開閉検出部
１４１    制御部
１４２、１４３    データベース
１４２１    出発駅情報
１４２２    周辺情報
１４２３    他駅情報
１４２４    電車事故情報
１４２５    事故証明情報
１４３１    広告情報
【図１】
2007310465.tif 000003
【図２】
2007310465.tif 000004
【図３】
2007310465.tif 000005
【図４】
2007310465.tif 000006
【図５】
2007310465.tif 000007
【図６】
2007310465.tif 000008
【図７】
2007310465.tif 000009
【図８】
2007310465.tif 000010
【図９】
2007310465.tif 000011